(57)【特許請求の範囲】
【請求項１】
ドアが装着されるドア枠の枠材に取付けられる戸当り部材において、該戸当たり部材は四角形断面をした本体の底面に２本の脚を設け、ドア側に位置する脚の外側面には軟質樹脂製のノコ歯状を形成し、そしてドアから離れた位置にある脚の外側面には硬質樹脂製で上記軟質樹脂のノコ歯状より高さが低いノコ歯状を形成し、上記本体の側面には上端部から延びる軟質樹脂製のクッション材を設け、又側面には突片を突出し、該突片の位置はドアが閉じた際に該ドアの先端付近に設け、そしてドアが閉じることでクッション材が撓み変形するならば先端部が突片に接するようにしたことを特徴とする戸当たり部材。
【請求項２】
ドアより離れた位置の脚内側面と本体の底面と成るコーナーには他の部位の角部より大きなＲ面又はＣ面を設けた請求項１記載の戸当たり部材。
【請求項３】
上記ドアから離れた位置の脚外側面に設けたノコ歯状の高さを０．３ｍｍ以下とした請求項１、又は請求項２記載の戸当たり部材。
【発明の詳細な説明】
【技術分野】
【０００１】
本発明はドア枠に取付けられて、ドアが閉じる際にストッパーとして機能する戸当り部材に関するものである。
【背景技術】
【０００２】
ドアが装着されるドア枠には戸当り部材が取付けられていて、閉じるドアのストッパーとして、又ドア枠との間に隙間が生じないように機能する。ところで、戸当り部材の形態にも色々あるが、図４は従来の代表的な戸当り部材を示している。該戸当り部材（イ）は互いに平行な２本の脚（ロ）、（ロ）を有し、該脚（ロ）、（ロ）は戸当り部材本体（ハ）の両側部から延びている。
ここで、上記脚（ロ）、（ロ）の外側面には脚と同じ硬質樹脂から成る複数のノコ歯（ニ）、（ニ）・・・が形成されている。
【０００３】
一方、ドア枠を構成する枠材（ホ）の表面（ヘ）には嵌合溝（ト）が設けられ、この嵌合溝（ト）には上記両脚（ロ）、（ロ）が嵌合して戸当り部材（イ）が取付けられる。すなわち、枠材（ホ）には嵌合溝（ト）を加工した状態でドア枠として間口に取付けられる。そして戸当り部材（イ）には本体（ニ）の上端部から湾曲して延びるクッション材（チ）が設けられ、ドアが閉じた際の衝撃を緩和することが出来る。
【０００４】
図５は枠材（ホ）に戸当り部材（イ）が取付けられ、該戸当り部材（イ）にドア（リ）の先端部が当って閉じている状態である。
すなわち、ドア（リ）が閉じる際にはドア（リ）の先端部は上記戸当り部材（イ）に当たって停止する。ここで、２本の脚（ロ）、（ロ）は嵌合溝（ト）に嵌合すると共に、硬質樹脂製のノコ歯（ニ）、（ニ）・・・は嵌合溝（ト）の内側面（ヌ）に一部噛み込むことで該戸当り部材（イ）は簡単に外れないように固定される。
【０００５】
ところで、ドアを静かに閉めるならば戸当り部材（イ）が嵌合溝（ト）から外れることはないが、強く閉める場合にはドア（リ）の先端部は戸当り部材（イ）に大きな衝撃を伴って当り、その結果、戸当り部材（イ）は嵌合溝（ト）から外れるといった現象が起きる。
勿論、嵌合溝（ト）に脚（ロ）、（ロ）を嵌めて接着剤を塗布するならば、戸当り部材（イ）は固着されて外れることはないが、接着剤を使用することでコストが嵩み、現場の作業者が接着剤の塗布を時々忘れることもある。
【０００６】
上記図５はドア（リ）の先端部が衝撃を伴って戸当り部材（イ）に当たり、該戸当り部材（イ）の左側が嵌合溝（ト）から浮き上がって傾いた場合の断面図を表している。さらに大きな衝撃を伴って戸当り部材（イ）に当たるならば、嵌合溝（ト）から離脱して飛ばされてしまう。
【０００７】
ドア（リ）が戸当り部材（イ）の本体側面に設けているクッション材（チ）に当たるならば、該クッション材（チ）は撓み変形するが、その際の押圧力Ｆによって時計方向のモーメントが働く。特に、衝撃を伴って戸当たり部材（イ）に当たる場合、クッション材（チ）は大きく撓み変形し、ドア（リ）は点線で示す位置まで前進し、該戸当たり部材（イ）には同図に示すように斜め方向の押圧力が働く。
また、クッション材（チ）は本体（ニ）の側面上端部から湾曲して延びている為に、ドア（リ）の押圧力Ｆは本体（ニ）の側面上部に作用することで発生する時計方向のモーメントにより、戸当り部材（イ）は同図に示すように傾斜する。
【０００８】
ノコ歯（ニ）、（ニ）・・・の先端は嵌合溝（ト）の内側面（ヌ）に食い込み、嵌合溝（ト）の入口角（ル）が脚（ロ）の基部コーナーに入り込む。すなわち、戸当り部材全体が右側へ移動し、左側脚（ロ）の外側面に形成しているノコ歯（ニ）、（ニ）・・・は嵌合溝（ト）の内側面（ヌ）への食い込みから解除され、その為に左側脚（ロ）が浮上することで戸当り部材（イ）は同図に示すように傾斜する。
【０００９】
特開平１１−５０７４０号に係る「ドア用戸当り」は、ドアの取付け枠に設ける戸当りであって、戸当り及び溝に寸法の僅かなバラツキがあっても安定して取付けられ、外れることのないようにしている。
そこで、該戸当りは硬質樹脂から成る中空の戸当り本体と嵌合部を有し、嵌合部は戸当り本体の底片から垂直に延びる２本の脚と該脚からはアームを延ばし、アーム先端には互いに近接し合う軟質層を備えた突き合わせ部を有している。
このドア用戸当りは、該戸当り及び溝に寸法のバラツキがあってもドア枠に取付けることが出来るようにしたものであり、ドアを閉める際の衝撃に対処したものではない。
【特許文献１】特開平１１−５０７４０号に係る「ドア用戸当り」
【発明の開示】
【発明が解決しようとする課題】
【００１０】
このように、従来の戸当り部材には上記のごとき問題がある。本発明が解決しようとする課題はこの問題点であり、ドアを強く閉めた際に発生する衝撃に対しても、嵌合溝から外れることがないようにした戸当り部材を提供する。
【課題を解決するための手段】
【００１１】
本発明に係る戸当り部材は本体と外側面にノコ歯を形成した２本の脚を有し、該脚がドア枠の枠材に設けた嵌合溝に嵌ることで取付けられる。そして、本体の側面にはクッション材を取付けている。この点は従来の戸当り部材と同じであるが、本発明ではドアと反対側（ドアから離れている側）に位置する脚のノコ歯を従来のノコ歯高さや他方の脚に形成している軟質樹脂製のノコ歯より低くし、脚の基部には補強としてＲ面又はＣ面を内側面側に形成している。そして、該Ｒ面又はＣ面の大きさは戸当り部材の他の部位に形成しているＲ面やＣ面より大きくなっている。
【００１２】
そして、ドア側に位置する脚の外側面に形成しているノコ歯は軟質樹脂製とし、他方の脚に形成した硬質樹脂製のノコ歯高さより高くし、嵌合溝の内側面に密着して浮上しないようにグリップ力を発生する。また、本体のドア側側面には突片を設け、この突片の位置は側面上部から湾曲して延びるクッション材が撓み変形した場合に届くように、しかも閉じたドアの先端が当たる程度の位置としている。すなわち、出来る限り脚側に設けているが、クッション材が撓み変形した場合に該クッション材を介してドア先端にて押圧される位置としている。
ここで、上記ノコ歯の具体的な形状は限定せず、実際にはノコ歯状である場合でも構わない。
【発明の効果】
【００１３】
本発明の戸当り部材は脚の外側面にノコ歯を設けているが、ドアから離れている側のノコ歯の高さは低くしている。従って、ドアが閉じることで発生する衝撃によって戸当り部材が押圧されても、移動することは殆どない。その為に、ドア側の脚の外側面に形成している軟質樹脂製のノコ歯は、嵌合溝の内側面に密着してグリップ力が低下することはなくて脚は浮上せず、その為に戸当り部材が傾いたり嵌合溝から外れることはない。
【００１４】
そして、脚の基部である本体とのコーナー部には大きなＲ面又はＣ面が形成され、ドアの衝撃に基づく押圧力による脚の破損を防止することが出来る。
一方、本体のドア側側面には突片を設け、該突片はドアが閉じる場合に先端が当たるような位置に設けられていることで、ドアが閉じる際の衝撃に基づく押圧力にて大きなモーメントは発生しない。すなわち、ドア側脚を嵌合溝から浮上するような力の作用は生じない。
【図面の簡単な説明】
【００１５】
【図１】本発明に係る戸当り部材の断面図。
【図２】枠材に取付けた本発明の戸当たり部材に静かに閉めたドア先端が当った場合。
【図３】枠材に取付けた本発明の戸当たり部材に強く閉めたドア先端が当った場合。
【図４】従来の戸当たり部材。
【図５】枠材に取付けた従来の戸当たり部材に強く閉めたドア先端が当った場合。
【発明を実施するための形態】
【００１６】
図１は本発明に係る戸当たり部材１を示す断面図であり、長方形断面の本体２と２本の脚３ａ，３ｂを有し、脚３ａ，３ｂの外側面には複数のノコ歯を形成している。ここで、脚３ｂの外側面に形成しているノコ歯４，４・・・は該脚３ｂと同じ硬質樹脂製であり、他方の脚３ａの外側面に形成しているノコ歯５，５・・・は軟質樹脂が用いられている。そして、上記ノコ歯４，４・・・は小さくて高さはノコ歯５，５・・・に比較して低く成っている。具体的な寸法は限定しないが、０．３ｍｍ以下と成っている。
ここで、上記ノコ歯４，５の具体的な形状は限定せず、厳密な三角形でなくても概略ノコ歯（ノコ歯状）であればよい。
【００１７】
同図の６はクッション材であり、本体２の側面７の上端部から脚側へ湾曲して延びている。該脚６は軟質樹脂製であり、ドアが閉じる際に押圧されて撓み変形することが出来、本体２に当たる衝撃が緩和される。そして、側面７には突片８が突出しているが、上記クッション材６が大きく撓み変形するならばクッション材６の先端部はこの突片７に当たるように成っている。
【００１８】
上記脚３ｂは本体２の底面１５から延びており、該脚３ｂの強度を向上する為に基部である底面１５とのコーナーには大きなＲ面を形成している。すなわち、該脚３ｂはドアが閉じる際の衝撃にて嵌合溝の内側面に押圧されて曲げられるが、脚３ｂの内側面基部にＲ面を形成することで該脚３ｂが破損することはない。ここで、該Ｒ面の具体的な大きさは問わないが、戸当り部材１の各箇所に形成しているコーナー部に形成しているｒ面より大きくしている。
また、脚３ａの基部にはドアが閉じる衝撃によって該脚３ａが曲げられることはなく、その為に大きなＲ面は必要ない。ただし、上記Ｒ面でなくＣ面とすることも可能である。
【００１９】
図２は戸当り部材１をドア枠の枠材９に取付けた場合の断面図であり、枠体９の表面１０には一定幅の嵌合溝１１が設けられ、この嵌合溝１１に両脚３ａ，３ｂが嵌っている。脚３ｂの外側面に形成しているノコ歯４，４・・・は小さいが、嵌合溝１１の内側面１２に食い込み、また脚３ａの外側面に形成した軟質樹脂製のノコ歯５，５・・・は圧縮して潰され、内側面１２に密着してグリップされている。
【００２０】
両脚３ａ，３ｂが嵌合溝１１に嵌るならば、脚３ｂの外側面に形成しているノコ歯４，４・・・は小さくて高さも低い。そこで、本体２の底面１５が枠材９の表面１０に当接し、しかも内側面１２に脚３ｂの外側面が接し、嵌合溝１１の入口コーナーと成る角１４は本体底面１５と脚外側面のコーナーに隙間なく接するように取付けられる。
【００２１】
ところで、ドア１３が閉じるならば、クッション材６に当たって停止する。静かにドア１３を閉じる際には、クッション材６は大きく撓み変形することはなく、勿論、戸当り部材１に作用する押圧力は小さい。従って、該戸当り部材１が嵌合溝１１から外れるといった事態は発生しない。
【００２２】
図３はドア１３を強く閉めた場合であり、その為にクッション材６は大きく撓み変形してドア１３は点線で示している位置まで前進する。大きく撓み変形したクッション材６は本体側面に形成している突片８に当たり、ドア１３の衝撃に伴う押圧力はクッション材６を介して突片８を押圧するように成る。
該突片８は本体側面の比較的下側（脚側）に設けられ、ドア１３の先端が当たる位置とほぼ同じであり、その為に戸当り部材１が嵌合溝１１から外れる方向の押圧力は作用しない。
【００２３】
そして、突片８が存在することで、ドア１３が閉じる際の位置が規制され、突片がない前記図５のようにドア（ル）が前進して一点鎖線で示すように傾斜することはない。このように、ドア（ル）が傾斜するならば、クッション材（ヌ）を介して戸当り部材（イ）は外れるように斜め上方へ作用する押圧力が発生するが、本発明の戸当り部材１にはこのような押圧力の発生はない。
【符号の説明】
【００２４】
１  戸当り部材
２  本体
３  脚
４  ノコ歯
５  ノコ歯
６  クッション材
７  側面
８  突片
９  枠材
10  表面
11  嵌合溝
12  内側面
13  ドア
14  角
15  底面
【図１】
0006275079.tif 000002
【図２】
0006275079.tif 000003
【図３】
0006275079.tif 000004
【図４】
0006275079.tif 000005
【図５】
0006275079.tif 000006